(57)【要約】【課題】利用者が何らかの作業をしながら任意のテレビジョン番組を視聴する際に、見たい場面を見逃す機会を少なくし、かつその操作を容易に行う。【解決手段】どちらの映像信号、音声信号も、音声・映像遅延部（映像遅延手段）１６に入力される。ここでは、遅延時間変更手段（遅延時間設定手段）１７によって設定された遅延時間の分だけ映像信号及び音声信号を遅延させて出力する、映像信号遅延工程を行う。音声・映像遅延部１６を介さない音声信号と、遅延時間だけ遅延されて出力された音声信号とは、音声出力切替部１９に入力される。このうちどちらかの音声信号が音声出力切替手段２０によって利用者に選択され、スピーカ２１に出力され、音声となって出力される（音声信号切替工程）。【選択図】図１
2009076996.tif 000002
【特許請求の範囲】
【請求項１】
音声信号をスピーカで出力し、映像信号を表示部で出力する映像表示装置であって、
前記映像信号を前記音声信号から遅延させる遅延時間を設定する遅延時間設定手段と、
入力された前記映像信号を前記音声信号から前記遅延時間だけ遅延させて出力する映像遅延手段と、
を具備することを特徴とする映像表示装置。
【請求項２】
前記映像遅延手段において、
一定期間内の映像信号を記憶する映像信号記憶部が用いられることを特徴とする請求項１に記載の映像表示装置。
【請求項３】
前記映像遅延手段は入力された音声信号も前記遅延時間だけ遅延させて出力し、
前記遅延された音声信号と、前記映像遅延手段に入力前の前記音声信号とを切り替えて出力する音声出力切替部を具備することを特徴とする請求項１または２に記載の映像表示装置。
【請求項４】
前記音声出力切替部は、リモコン送信機からの制御信号によって動作することを特徴とする請求項３に記載の映像表示装置。
【請求項５】
前記遅延された映像信号と、前記映像遅延手段に入力前の前記映像信号とを切り替えて出力する映像出力切替部を具備することを特徴とする請求項１または２に記載の映像表示装置。
【請求項６】
前記映像出力切替部は、リモコン送信機からの制御信号によって動作することを特徴とする請求項５に記載の映像表示装置。
【請求項７】
前記映像表示装置はテレビジョン受像機であることを特徴とする請求項１から請求項６までのいずれか１項に記載の映像表示装置。
【請求項８】
音声信号をスピーカで出力し、映像信号を表示部で出力する映像表示装置における映像表示方法であって、
前記映像信号を前記音声信号から遅延させる遅延時間を設定する遅延時間設定工程と、
入力された前記映像信号を前記音声信号から前記遅延時間だけ遅延させて出力する映像信号遅延工程と、
を具備することを特徴とする映像表示方法。
【請求項９】
前記映像信号遅延工程において、
一定期間内の映像信号を記憶し、該映像信号を前記遅延時間だけ遅延させて出力することを特徴とする請求項８における映像表示方法。
【請求項１０】
入力された音声信号を前記遅延時間だけ遅延させて出力する映像信号遅延工程と、
前記遅延された音声信号と、遅延していない前記音声信号とを切り替えて出力する音声信号切替工程と、
を具備することを特徴とする請求項８または９に記載の映像表示方法。
【請求項１１】
前記遅延された映像信号と、遅延していない前記映像信号とを切り替えて出力する映像信号切替工程を具備することを特徴とする請求項８または９に記載の映像表示方法。
【発明の詳細な説明】
【技術分野】
【０００１】
本発明は、テレビジョン受像機に代表される、映像と音声を同時に出力する映像表示装置に関する。また、この映像表示装置に用いられる映像表示方法に関する。
【背景技術】
【０００２】
一般家庭内で用いられる映像表示装置、例えばテレビジョン受像機においては、受信したテレビジョン放送用信号から、映像信号と音声信号とが抽出（復調）され、映像信号はディスプレイで表示され、音声信号はスピーカで出力される。これにより、利用者は各種のテレビジョン番組を視聴することができる。
【０００３】
ここで、映像信号と音声信号とは独立に出力されるが、一般に、これらが同期していることが必要である。すなわち、同期していることによって、利用者は映画やスポーツ中継に代表されるテレビジョン放送の内容を理解することができる。
【０００４】
こうしたテレビジョン放送を視聴する際、例えばスポーツ中継の場合、利用者は得点シーンを見たい場合が多いが、この得点シーンがいつ来るかは、特に生中継の場合には利用者は知ることができない。例えば、利用者がキッチンで作業しながらこうしたテレビジョン番組を視聴している場合には、ディスプレイの画面を集中して見ていることができないため、こうした見たい場面を見逃すという状況が多く発生する。
【０００５】
こうした点に対処するため、特許文献１には、音声信号と映像信号とを同期させず、音声信号を映像信号に対して先行させて出力するテレビ放送方式が記載されている。この場合、利用者は、例えば前記のスポーツ番組の中継の場合、得点があったことを音声信号の出力で知ることができ、その後でディスプレイの画面を見ることができる。従って、利用者が何らかの作業をしながらテレビジョン番組を視聴している場合でも、見たい場面を見逃す機会を少なくすることができる。
【０００６】
また、同様の目的で、特許文献２には、音声信号と映像信号とをメモリに蓄え、利用者が見たい場面を見逃した場合には、このメモリからこの場面の信号を読み出して再生させることのできるテレビジョン受像機が記載されている。
【０００７】
これの技術により、利用者が何らかの作業をしながらテレビジョン番組を視聴する際に、見たい場面を見逃す機会少なくすることができた。
【特許文献１】特開平１１−１２７４２４号公報
【特許文献２】特開平６−１４２７４号公報
【発明の開示】
【発明が解決しようとする課題】
【０００８】
しかしながら、特許文献１に記載の方式では、テレビジョン放送用電波を発する放送局側が上記の方式で送信をすることが必要になる。従って、この方式が採用されていない放送や、一旦ビデオテープやハードディスク等に録画された放送に対して同様の機能を実現することは不可能であった。
【０００９】
また、特許文献２に記載の方式は、単に見たいテレビジョン番組を録画してからこれを再生する場合と変わりがない。すなわち、見たい場面を見逃す機会を少なくすることはできるが、この場面を見るためには、テレビジョン受像機を操作して、この場面を再び読み出すための操作をする必要がある。従って、利用者が作業をしながら手軽にテレビジョン番組を視聴する場合には適さない。
【００１０】
従って、利用者が何らかの作業をしながら任意のテレビジョン番組を視聴する際に、見たい場面を見逃す機会を少なくし、かつその操作が容易であるテレビジョン受像機を得ることは困難であった。
【００１１】
本発明はこのような状況に鑑みてなされたものであり、上記問題点を解決できるテレビジョン受像機を提供することを目的とする。
【課題を解決するための手段】
【００１２】
本発明は、上記課題を解決すべく、以下に掲げる構成とした。
本発明の映像表示装置は、音声信号をスピーカで出力し、映像信号を表示部で出力する映像表示装置であって、前記映像信号を前記音声信号から遅延させる遅延時間を設定する遅延時間設定手段と、入力された前記映像信号を前記音声信号から前記遅延時間だけ遅延させて出力する映像遅延手段と、を具備することを特徴とする。
本発明の映像表示装置は、前記映像遅延手段において、一定期間内の映像信号を記憶する映像信号記憶部が用いられることを特徴とする。
本発明の映像表示装置は、前記映像遅延手段は入力された音声信号も前記遅延時間だけ遅延させて出力し、前記遅延された音声信号と、前記映像遅延手段に入力前の前記音声信号とを切り替えて出力する音声出力切替部を具備することを特徴とする。
本発明の映像表示装置において、前記音声出力切替部は、リモコン送信機からの制御信号によって動作することを特徴とする。
本発明の映像表示装置は、前記遅延された映像信号と、前記映像遅延手段に入力前の前記映像信号とを切り替えて出力する映像出力切替部を具備することを特徴とする。
本発明の映像表示装置において、前記映像出力切替部は、リモコン送信機からの制御信号によって動作することを特徴とする。
本発明の映像表示装置はテレビジョン受像機であることを特徴とする。
本発明の映像表示方法は、音声信号をスピーカで出力し、映像信号を表示部で出力する映像表示装置における映像表示方法であって、前記映像信号を前記音声信号から遅延させる遅延時間を設定する遅延時間設定工程と、入力された前記映像信号を前記音声信号から前記遅延時間だけ遅延させて出力する映像信号遅延工程と、を具備することを特徴とする。
本発明の映像表示方法は、前記映像信号遅延工程において、一定期間内の映像信号を記憶し、該映像信号を前記遅延時間だけ遅延させて出力することを特徴とする。
本発明の映像表示方法は、入力された音声信号を前記遅延時間だけ遅延させて出力する映像信号遅延工程と、前記遅延された音声信号と、遅延していない前記音声信号とを切り替えて出力する音声信号切替工程と、を具備することを特徴とする。
本発明の映像表示方法は、前記遅延された映像信号と、遅延していない前記映像信号とを切り替えて出力する映像信号切替工程を具備することを特徴とする。
【発明の効果】
【００１３】
本発明のテレビジョン受像機によれば、利用者が何らかの作業をしながら任意のテレビジョン番組を視聴する際に、見たい場面を見逃す機会を少なくし、かつその操作を容易に行うことができる。
【発明を実施するための最良の形態】
【００１４】
本発明の実施の形態となる画像表示装置であるテレビジョン受像機は、主に一般家庭で用いられ、映像信号と音声信号とをテレビジョン放送用電波から抽出し、映像信号と音声信号を出力する。ここで、映像信号と音声信号とを同期させて出力する「通常モード」と、映像信号を設定された遅延時間だけ音声信号から遅延させて出力する「ながら視聴モード」とが用いられる。
【００１５】
（第１の実施の形態）
図１は、本発明の第１の実施の形態となるテレビジョン受像機の構成を示す図である。このテレビジョン受像機１０においては、アンテナ１１が受信したテレビジョン放送用信号又はビデオデッキ等の外部入力機器１２が発した外部信号が入力する。
【００１６】
テレビジョン放送用信号はテレビ信号受信部１３に入力され、選局や増幅等の処理が行われてから、信号復調部１４に入力される。これにより、信号復調部１４では、テレビジョン放送における映像信号と音声信号とが抽出（復調）される。
【００１７】
外部信号は、外部信号入力部１５に入力され、映像信号と音声信号の復調を行うための前処理が行われてから、信号復調部１４に入力され、外部入力機器における映像信号と音声信号とが抽出される。なお、外部信号入力部１５が行う前処理の内容は、外部信号の種類（例えばＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）信号やＤＶＩ（Ｄｉｇｉｔａｌ  Ｖｉｓｕａｌ  Ｉｎｔｅｒｆａｃｅ）信号等）により異なる。従って、外部信号入力部１５を外部信号の種類毎に設けてもよい。信号復調部１４についても同様である。また、信号復調部１５も外部信号毎に設けてもよい。
【００１８】
抽出された上記のどちらの映像信号、音声信号も、音声・映像遅延部（映像遅延手段）１６に入力される。ここでは、遅延時間変更手段（遅延時間設定手段）１７によって設定された遅延時間の分だけ映像信号及び音声信号を遅延させて出力する、映像信号遅延工程を行う。音声・映像遅延部１６においては、この処理を行うために、入力された一定期間にわたる映像信号及び音声信号をメモリ（映像信号記憶部）に一時的に記憶し、設定された遅延時間に応じてこれを出力する。このメモリとしては例えばＤＲＡＭ等が用いられる。遅延時間変更手段１７において用いられる遅延時間は、利用者が適宜設定することができる。遅延時間の最大値は主にこのメモリの容量で決定されるが、例えば１０秒とすることができる。また、映像信号用のメモリと音声信号用のメモリを独立して設けることもできる。
【００１９】
遅延時間変更手段（遅延時間設定手段）１７は、例えばマイクロコンピュータで構成され、利用者によって上記の遅延時間を設定させる、遅延時間設定工程を行う。音声・映像遅延部（映像遅延手段）１６はこの遅延時間を用いて上記の動作を行う。例えば、このテレビジョン受像機１０において、「遅延時間設定モード」を設け、このモードにおいては表示装置１８の画面にこの遅延時間を設定させる画面を表示させ、リモコン送信機の操作キーやテレビジョン受像機に設けられた操作キーを用いてこの遅延時間を設定させることができる。
【００２０】
この遅延時間だけ遅延されて出力された映像信号は、表示装置１８に出力される。表示装置１８は例えば液晶ディスプレイであり、映像信号に基づいた画像（動画像）を表示する。
【００２１】
音声・映像遅延部１６を介さない音声信号と、遅延時間だけ遅延されて出力された音声信号とは、音声出力切替部１９に入力される。このうちどちらかの音声信号が音声出力切替手段２０によって利用者に選択され、スピーカ２１に出力され、音声となって出力される（音声信号切替工程）。また、音声出力切替部１９は、利用者により設定された種類の音声信号（主音声、副音声等）を選択することもできる。
【００２２】
この選択の方法は任意であるが、例えば、利用者がリモコン送信機における操作キーを用いて「通常モード」と「ながら視聴モード」の選択をすることができる。リモコン送信機は、これに対応する制御信号をテレビジョン受像機１０の本体に発する。
【００２３】
「通常モード」が選択された場合、音声出力切替部１９から出力される音声信号は、前記の遅延時間だけ遅延されて出力された音声信号となる。これにより、表示装置１８において出力される映像信号とスピーカ２１において出力される音声信号とは共に同じ遅延時間だけ遅延しており、同期している。
【００２４】
「ながら視聴モード」が選択された場合、音声出力切替部１９から出力される音声信号は、音声・映像遅延部１６を介さない音声信号となる。これにより、表示装置１８において出力される映像信号は、スピーカ２１において出力される音声信号から遅延時間だけ遅延している。すなわち、この遅延時間の分だけ音声信号が先行する。
【００２５】
このテレビジョン受像機１０における動作を、利用者の動作も含めて示したフロー図が図２である。このフロー図においては、前記の遅延時間設定工程は行われている。
【００２６】
まず、利用者により、視聴モードの選択が行われる（Ｓ１）。ここでは、映像と音声を同期させる「通常モード」と、音声信号を先行させる「ながら視聴モード」とが選択される。この選択は、例えばリモコン送信機（図示せず）によって行われる。このモードの選択は任意であるが、特に利用者が作業中であり、表示部１８を注視できない状況である場合に、リモコン送信機における操作キーを利用者が操作することにより、このテレビジョン受像機１０を「ながら視聴モード」とする制御信号をリモコン送信機が発する。これにより、「ながら視聴モード」が設定される。
【００２７】
「ながら視聴モード」が選択された場合（Ｓ１）、音声出力切替部１９は、前記の通り、音声・映像遅延部１６を介さない音声信号をスピーカ２１に出力し、遅延した映像信号を表示装置１８に出力する（Ｓ２）。すなわち、前記の
映像信号遅延工程と、音声信号切替工程とを行い、映像信号を表示装置１８に、音声信号をスピーカ２１に出力する。
【００２８】
「ながら視聴モード」において例えばスポーツ中継を視聴しており、かつ利用者が表示装置１８の画面を見ていない時に得点シーンがあった場合、利用者はこれをスピーカ２１から出力された音声で知ることができる。これにより、利用者は所望の場面が現れたと認識し（Ｓ３）、作業の手を休めて表示装置１８の画面を見る（Ｓ４）。スピーカ２１から前記の音声が出力されてから遅延時間以内であれば、利用者はこの場面の映像を表示装置１８の画面で見ることができる。
【００２９】
利用者が所望の場面を表示装置１８の画面で見た後は、そのままの状況で視聴を続けてもよいが、作業を中断してここから表示装置１８の画面を注視する場合、利用者は、映像と音声を同期させるか否かの判断を行う（Ｓ５）。同期させたい場合には、リモコン送信機を操作して動作モードを再び選択し、「通常モード」とする操作キーを操作することにより、「通常モード」とする制御信号を発する（Ｓ６）。以降は、映像と音声が同期し、利用者はこの番組中継の内容をより快適に視聴することができる。その後、再び利用者が作業を開始し、表示装置１８を注視しなくなる場合には、再び「ながら視聴モード」を設定すればよい（Ｓ１）。
【００３０】
このテレビジョン受像機１０においては、映像信号と音声信号を共に同じ遅延時間だけ音声・映像遅延部１６で遅延させ、特に音声信号について、音声・映像遅延部１６を介さない信号と、音声・映像遅延部１６を介する信号とを切り替えて出力させる。これにより、音声信号を先行させる「ながら視聴モード」と、映像信号と音声信号を同期させる「通常モード」とが切り替えられる。
【００３１】
従って、利用者が何らかの作業をしながらテレビジョン番組を視聴する際に、見たい場面を見逃す機会を少なくすることができる。この操作はリモコン送信機における「ながら視聴モード」と「通常モード」との切替によって行われるため、利用者にとって容易である。
【００３２】
また、「ながら視聴モード」において音声信号を先行させる（映像信号を遅延させる）機能は、前記の通り、テレビジョン受像機１０内の機能によって実現でき、放送局側での対応は不要である。また、テレビジョン放送だけでなく、外部入力機器１２が発した外部信号に対しても同様の処理を行うことができる。
【００３３】
（第２の実施の形態）
第２の実施の形態に係るテレビジョン受像機においては、上記の機能を異なる構成で実現する。図３は、このテレビジョン受像機４０の構成を示す図である。
【００３４】
図３におけるアンテナ４１、外部入力機器４２、テレビ信号受信部４３、信号復調部４４、外部信号入力部４５については第１の実施の形態と同様である。また、モード設定も同様にリモコン送信機におけるキー操作によって行われる。
【００３５】
ここでは、信号復調部４４で抽出された映像信号のみが映像遅延部（映像遅延手段）４６に入力され、映像遅延部４６は遅延時間変更手段４７によって設定された遅延時間の分だけ映像信号を遅延させて出力する、映像信号遅延工程を行う。この動作は第１の実施の形態における音声・映像遅延部１６と同様であり、メモリ（映像信号記憶部）に一時的に記憶された映像信号を設定された遅延時間に応じて出力することによって実現される。遅延時間変更手段４７についても、第１の実施の形態と同様である。
【００３６】
映像遅延部４６を介さない映像信号と、遅延時間だけ遅延されて出力された映像信号は、映像出力切替部４８に入力される。このうちどちらかの映像信号が映像出力切替手段４９によって利用者に選択され（映像信号切替工程）、表示装置５０に出力される。
【００３７】
一方、信号復調部４４で抽出された音声信号は直接スピーカ５１に出力される。従って、このテレビジョン受像機４０においては、常に音声信号は遅延時間無しでスピーカ５１から出力される。
【００３８】
従って、このテレビジョン受像機４０において「ながら視聴モード」が選択された場合、映像出力切替部４８によって、映像遅延部４６を介した映像信号が表示装置５０に出力される。これにより、音声信号よりも設定された遅延時間だけ遅延した映像信号が表示装置５０に出力される。
【００３９】
「通常モード」が選択された場合、映像出力切替部４８によって、映像遅延部４６を介さない映像信号が表示装置５０に出力される。これにより、音声信号と同期した映像信号が表示装置５０に出力される。
【００４０】
すなわち、このテレビジョン受像機４０においては、遅延時間設定工程、映像信号遅延工程、映像信号切替工程が行われることによって、第１の実施の形態と同様の動作が行われる。
【００４１】
従って、このテレビジョン受像機４０においても、「ながら視聴モード」と「通常モード」とを利用者が容易に選択でき、利用者が何らかの作業をしながらテレビジョン番組を視聴する際に、見たい場面を見逃す機会を少なくすることができる。また、テレビジョン放送だけでなく、外部入力機器４２が発した外部信号に対しても同様の処理を行うことができる。
【００４２】
このテレビジョン受像機４０においては、映像遅延部４６において映像信号のみの処理を行い、切り替えられる信号は映像信号である点が第１の実施の形態とは異なる。このため、映像信号を遅延させる処理において用いるメモリの容量を第１の実施の形態よりも小さくすることができる。あるいは、第１の実施の形態と同じ容量のメモリが用いられる場合には、音声信号を記憶する必要がないため、より長期間にわたる映像信号を記憶することができる。従って、設定できる遅延時間を第１の実施の形態よりも長くとることができる。
【００４３】
なお、上記の実施の形態においては、映像信号等を一旦メモリに記憶してからこれを設定された遅延時間だけ後で出力させた。しかしながら、これに限られるものではなく、入力された映像信号等を設定された遅延時間だけ後で出力できる方法であれば、同様に用いることができる。
【００４４】
また、上記の実施の形態においては、映像表示装置がテレビジョン受像機である場合につき記載したが、これに限られるものではなく、映像信号と音声信号を共に出力する映像表示装置であれば、同様に本発明が適用できることは明らかである。
【図面の簡単な説明】
【００４５】
【図１】本発明の第１の実施の形態であるテレビジョン受像機の構成を示す図である。
【図２】本発明の第１の実施の実施の形態であるテレビジョン受像機の動作を示すフロー図である。
【図３】本発明の第２の実施の形態であるテレビジョン受像機の構成を示す図である。
【符号の説明】
【００４６】
１０、４０  テレビジョン受像機
１１、４１  アンテナ
１２、４２  外部入力機器
１３、４３  テレビ信号受信部
１４、４４  信号復調部
１５、４５  外部信号入力部
１６  音声・映像遅延部
１７、４７  遅延時間変更手段
１８、５０  表示装置
１９  音声出力切替部
２０  音声出力切替手段
２１、５１  スピーカ
４６  映像遅延部
４８  映像出力切替部
４９  映像出力切替手段
【図１】
2009076996.tif 000003
【図２】
2009076996.tif 000004
【図３】
2009076996.tif 000005